(57)【要約】【課題】表示部自体やコンテンツ自体のデザインを損なうことなく、表示中のコンテンツの動作を制御することが可能なコンテンツ表示技術の提供。【解決手段】コンテンツ用無線ＩＣタグ１０６からコンテンツＩＤを読み取るコンテンツ用読取装置１０４と、動作制御ＩＤを保持する動作制御用無線ＩＣタグ１０７から動作制御ＩＤを読み取る動作制御用読取装置１０５と、表示装置１０２と、コンテンツ用無線ＩＣタグが保持するコンテンツＩＤとコンテンツの関連付け情報，動作制御用無線ＩＣタグが保持する動作制御ＩＤと動作制御の関連付け情報，およびコンテンツ自体を格納する記憶装置１０３と、読み取ったコンテンツＩＤに対応するコンテンツを記憶装置から読み出して表示装置に表示させるとともに、読み取った動作制御ＩＤに対応する動作制御（開始，一時停止，早送り，終了など）を記憶装置から読み出して表示装置に表示されたコンテンツに対して実行させる処理装置１０１を具備する。【選択図】図１
2009163651.tif 000002
【特許請求の範囲】
【請求項１】
コンテンツを特定するコンテンツＩＤを保持するコンテンツ用無線ＩＣタグからコンテンツＩＤを読み取るコンテンツ用読取装置と、動作制御を特定する動作制御ＩＤを保持する動作制御用無線ＩＣタグから動作制御ＩＤを読み取る動作制御用読取装置と、コンテンツを表示する表示装置と、前記コンテンツ用無線ＩＣタグが保持するコンテンツＩＤとコンテンツの関連付け情報，動作制御用無線ＩＣタグが保持する動作制御ＩＤと動作制御の関連付け情報，およびコンテンツ自体を格納する記憶装置と、前記コンテンツ用読取装置で読み取ったコンテンツＩＤに対応するコンテンツを前記記憶装置から読み出して前記表示装置に表示させるとともに、前記動作制御用読取装置で読み取った動作制御ＩＤに対応する動作制御を前記記憶装置から読み出し、該読み出した動作制御を前記表示装置に表示されたコンテンツに対して実行させる処理装置を具備することを特徴とするコンテンツ表示システム。
【請求項２】
前記動作制御は、表示の開始，一時停止，早送り，終了のうちの少なくとも一つを含むことを特徴とする請求項１記載のコンテンツ表示システム。
【請求項３】
コンテンツを特定するコンテンツＩＤを保持するコンテンツ用無線ＩＣタグからコンテンツＩＤを読み取るコンテンツ用読取装置と、動作制御を特定する動作制御ＩＤを保持する動作制御用無線ＩＣタグから動作制御ＩＤを読み取る動作制御用読取装置と、コンテンツを表示する表示装置と、前記コンテンツ用無線ＩＣタグが保持するコンテンツＩＤとコンテンツの関連付け情報，動作制御用無線ＩＣタグが保持する動作制御ＩＤと動作制御の関連付け情報，およびコンテンツ自体を格納する記憶装置を用いて所望のコンテンツを所望の制御で表示するコンテンツ表示方法であって、
前記コンテンツ用読取装置で読み取ったコンテンツＩＤに対応するコンテンツを前記記憶装置から読み出して前記表示装置に表示させるステップと、
前記動作制御用読取装置で読み取った動作制御ＩＤに対応する動作制御を前記記憶装置から読み出し、該読み出した動作制御を前記表示装置に表示されたコンテンツに対して実行させるステップを有することを特徴とするコンテンツ表示方法。
【請求項４】
前記動作制御は、表示の開始，一時停止，早送り，終了のうちの少なくとも一つを含むことを特徴とする請求項３記載のコンテンツ表示方法。
【請求項５】
コンテンツを特定するコンテンツＩＤを保持するコンテンツ用無線ＩＣタグからコンテンツＩＤを読み取るコンテンツ用読取装置と、動作制御を特定する動作制御ＩＤを保持する動作制御用無線ＩＣタグから動作制御ＩＤを読み取る動作制御用読取装置と、コンテンツを表示する表示装置と、前記コンテンツ用無線ＩＣタグが保持するコンテンツＩＤとコンテンツの関連付け情報，動作制御用無線ＩＣタグが保持する動作制御ＩＤと動作制御の関連付け情報，およびコンテンツ自体を格納する記憶装置を用いて所望のコンテンツを所望の制御で表示するコンテンツ表示用プログラムであって、
コンピュータに、前記コンテンツ用読取装置で読み取ったコンテンツＩＤに対応するコンテンツを前記記憶装置から読み出して前記表示装置に表示させる機能と、前記動作制御用読取装置で読み取った動作制御ＩＤに対応する動作制御を前記記憶装置から読み出し、該読み出した動作制御を前記表示装置に表示されたコンテンツに対して実行する機能を実現させるためのコンテンツ表示用プログラム。
【発明の詳細な説明】
【技術分野】
【０００１】
本発明は、無線ＩＣタグ（コンテンツ用無線ＩＣタグ）を利用して表示するコンテンツを選択するとともに、無線ＩＣタグ（動作制御用無線ＩＣタグ）を利用してコンテンツの表示動作を制御（開始，一時停止，早送り，終了）するようにしたコンテンツ表示システムおよびコンテンツ表示方法ならびにそのためのプログラムに関する。
【背景技術】
【０００２】
従来、情報端末にコンテンツを表示する際に、無線ＩＣタグを利用してコンテンツを選択して表示するようにした技術として、特開２００７−５２６４７号公報（特許文献１）、日立情報システムズ  製品カタログ、[平成２０年１月７日検索]，インターネット＜ＵＲＬ：http://www.hitachijoho.com/solution/rfid/show/index.html＞（非特許文献１）に開示されたものがある。
【０００３】
具体的には、特許文献１に記載されたものは、簡易な操作で適切なコンテンツを提供することができる情報端末を提供することを目的とし、そのために、外部から入力された情報に基づいて所定のコンテンツを提供する情報端末において、複数のコンテンツを記憶する記憶部と、外部のＩＣチップから所定の情報（ＩＤ）を受信する通信部と、記憶部に記憶されたコンテンツを表示する表示部と、通信部で受信したＩＣチップからの所定情報（ＩＤ）に基づいて記憶部に記憶されたコンテンツを選択し、そのコンテンツを表示部に表示させる制御部を設けたものである。
【０００４】
また、非特許文献１に開示されたものは、無線ＩＣタグを利用したコンテンツビューアーシステム「Chipin/Show」と呼ばれているコンテンツ表示システムが開示されている。Chipin/Showは、無線ＩＣタグを内蔵した商品・見本品やカタログなどをリーダ端末にかざすことにより、個々に関連付けしてある動画、静止画、スライドショー、ホームページなどをディスプレイに表示するシステムである。
【０００５】
【特許文献１】特開２００７−５２６４７号公報
【非特許文献１】日立情報システムズ  製品カタログ、[平成２０年１月７日検索]，インターネット＜ＵＲＬ：http://www.hitachijoho.com/solution/rfid/show/index.html＞
【発明の開示】
【発明が解決しようとする課題】
【０００６】
特許文献１や非特許文献１に開示されたものは、要するに、ＩＣチップ（無線ＩＣタグ）が持つＩＤに関連付けられたコンテンツを記憶部から読み出して表示部に単に表示するようにした技術であり、該表示動作を制御（開始，一時停止，早送り，終了などの操作制御）する技術については特に言及されていない。
【０００７】
従来の無線ＩＣタグを利用した情報端末では、表示中のコンテンツの表示動作を制御（開始，一時停止，早送り，終了などの操作制御）するためには、無線ＩＣタグの持つＩＤに関連付けられたコンテンツを情報端末内の記憶部（またはネットワークを介してサーバ装置など）から呼び出して表示し、表示部に設けられた「機械式ボタン」などを操作するか、またはコンテンツ内に配置された「ソフトウェア式ボタン」を操作することにより表示中のコンテンツに対して動作の制御を行うようにしていた。
【０００８】
しかしながら、表示部に「機械式ボタン」を実装する場合、表示するコンテンツに合わせた「機械式ボタン」を多数実装しなければならず、操作内容の自由度が低くなってしまうという問題がある。
【０００９】
一方、コンテンツ内に「ソフトウェア式ボタン」を実装すると、たとえば音楽アーティストや映画のプロモーション動画のようなコンテンツの場合、コンテンツ自体のデザインを損なってしまうという問題がある。
【００１０】
本発明の目的は、上記問題を解消し、表示部自体やコンテンツ自体のデザインを損なうことなく、表示中のコンテンツの動作を制御することが可能なコンテンツ表示システムおよびコンテンツ表示方法ならびにそのためのプログラムを提供することである。
【課題を解決するための手段】
【００１１】
上記目的を達成するために、本発明は以下のような構成を有する。
（ａ）本発明に係るコンテンツ表示システムは、コンテンツを特定するコンテンツＩＤを保持するコンテンツ用無線ＩＣタグからコンテンツＩＤを読み取るコンテンツ用読取装置と、動作制御を特定する動作制御ＩＤを保持する動作制御用無線ＩＣタグから動作制御ＩＤを読み取る動作制御用読取装置と、コンテンツを表示する表示装置と、前記コンテンツ用無線ＩＣタグが保持するコンテンツＩＤとコンテンツの関連付け情報，動作制御用無線ＩＣタグが保持する動作制御ＩＤと動作制御の関連付け情報，およびコンテンツ自体を格納する記憶装置と、前記コンテンツ用読取装置で読み取ったコンテンツＩＤに対応するコンテンツを前記記憶装置から読み出して前記表示装置に表示させるとともに、前記動作制御用読取装置で読み取った動作制御ＩＤに対応する動作制御を前記記憶装置から読み出し、該読み出した動作制御を前記表示装置に表示されたコンテンツに対して実行させる処理装置を具備することを特徴とする。また、前記動作制御は、表示の開始，一時停止，早送り，終了のうちの少なくとも一つを含む。
【００１２】
（ｂ）また、本発明に係るコンテンツ表示方法は、コンテンツを特定するコンテンツＩＤを保持するコンテンツ用無線ＩＣタグからコンテンツＩＤを読み取るコンテンツ用読取装置と、動作制御を特定する動作制御ＩＤを保持する動作制御用無線ＩＣタグから動作制御ＩＤを読み取る動作制御用読取装置と、コンテンツを表示する表示装置と、前記コンテンツ用無線ＩＣタグが保持するコンテンツＩＤとコンテンツの関連付け情報，動作制御用無線ＩＣタグが保持する動作制御ＩＤと動作制御の関連付け情報，およびコンテンツ自体を格納する記憶装置を用いて所望のコンテンツを所望の制御で表示するコンテンツ表示方法であって、前記コンテンツ用読取装置で読み取ったコンテンツＩＤに対応するコンテンツを前記記憶装置から読み出して前記表示装置に表示させるステップと、前記動作制御用読取装置で読み取った動作制御ＩＤに対応する動作制御を前記記憶装置から読み出し、該読み出した動作制御を前記表示装置に表示されたコンテンツに対して実行させるステップを有することを特徴とする。前記動作制御は、表示の開始，一時停止，早送り，終了のうちの少なくとも一つを含む。
【００１３】
（ｃ）本発明に係るコンテンツ表示用プログラムは、コンテンツを特定するコンテンツＩＤを保持するコンテンツ用無線ＩＣタグからコンテンツＩＤを読み取るコンテンツ用読取装置と、動作制御を特定する動作制御ＩＤを保持する動作制御用無線ＩＣタグから動作制御ＩＤを読み取る動作制御用読取装置と、コンテンツを表示する表示装置と、前記コンテンツ用無線ＩＣタグが保持するコンテンツＩＤとコンテンツの関連付け情報，動作制御用無線ＩＣタグが保持する動作制御ＩＤと動作制御の関連付け情報，およびコンテンツ自体を格納する記憶装置を用いて所望のコンテンツを所望の制御で表示するコンテンツ表示用プログラムであって、コンピュータに、前記コンテンツ用読取装置で読み取ったコンテンツＩＤに対応するコンテンツを前記記憶装置から読み出して前記表示装置に表示させる機能と、前記動作制御用読取装置で読み取った動作制御ＩＤに対応する動作制御を前記記憶装置から読み出し、該読み出した動作制御を前記表示装置に表示されたコンテンツに対して実行する機能を実現させるためのコンテンツ表示用プログラムである。
【発明の効果】
【００１４】
本発明によれば、表示中のコンテンツの動作を制御するための動作制御ボタンを表示装置自体に設ける必要がなくなるとともに、機械的な可動部がなくなることで、表示装置自体の故障発生を削減することができる。
【００１５】
また、コンテンツ自体にも動作を制御するための動作制御ボタンを配置する必要がなくなり、デザインの自由度が増すとともに、利用者に対してインタラクティブなコンテンツを提供することができるようになる。
【発明を実施するための最良の形態】
【００１６】
以下、本発明の実施例を、図面を用いて詳細に説明する。
図１は、本発明に係る無線ＩＣタグ（コンテンツ用無線ＩＣタグおよび動作制御用無線ＩＣタグ）を用いたコンテンツ表示システムの全体を示す構成図であり、コンテンツを表示するためのプログラムを実行する処理装置１０１と、コンテンツを表示する表示装置１０２と、コンテンツ用無線ＩＣタグの持つＩＤとコンテンツの関連付け情報，動作制御用無線ＩＣタグの持つＩＤと動作制御の関連付け情報，およびコンテンツ自体を格納する記憶装置１０３と、コンテンツ用無線ＩＣタグのＩＤを読み取るコンテンツ用読取装置１０４と、動作制御用無線ＩＣタグのＩＤを読み取る動作制御用読取装置１０５と、コンテンツに関連付けた無線ＩＣタグ付きオブジェクト１０６と、動作制御に関連付けた無線ＩＣタグ付きオブジェクト１０７とから構成される。
【００１７】
図２は、本発明に係る無線ＩＣタグ（コンテンツ用無線ＩＣタグおよび動作制御用無線ＩＣタグ）を用いたコンテンツ表示システムの内部ブロック図であり、プログラムを処理する制御部２０１（図１の処理装置１０１によって実現される制御部に対応）と、コンテンツを表示する表示部２０２（図１の表示装置１０２に対応）と、コンテンツ用無線ＩＣタグの持つＩＤ（コンテンツＩＤ）とコンテンツの関連付け情報，動作制御用無線ＩＣタグの持つＩＤ（動作制御ＩＤ）と動作制御の関連付け情報，およびコンテンツ自体を格納する記憶部２０３（図１の記憶装置１０３に対応）と、コンテンツ用無線ＩＣタグのＩＤを読み取るコンテンツ用読取装置部２０４（図１のコンテンツ用読取装置１０４に対応）と、動作制御用無線ＩＣタグのＩＤを読み取る動作制御用読取装置部２０５（図１の動作制御用読取装置１０５に対応）と、表示中のコンテンツ，操作する内容，および表示状態を格納するワークエリア部２０６（図１の処理装置１０１内のメモリに設けられるワークエリアに対応）とから構成される。
【００１８】
図３〜図７は、本発明に係るコンテンツ表示システムにおけるコンテンツ表示機能およびコンテンツ制御機能の処理フローを示す図であり、主に処理装置１０１（図１）あるいは制御部２０１（図２）の制御によって実行される。
【００１９】
図８〜図１２は、本発明に用いられるデータ例を示す図である。
図８（ａ）および（ｂ）は、それぞれ記憶部２０３の記憶部Ａに格納される項目説明（８０１）、およびデータ例（８０２）を示す図であり、図９（ａ）および（ｂ）は、それぞれ記憶部２０３の記憶部Ｂに格納される項目説明（９０１）、およびデータ例（９０２）を示す図である。
【００２０】
図８（ａ），（ｂ）に示すように、記憶部Ａには、コンテンツ用無線ＩＣタグが持つＩＤコードとそのＩＤコードに対応するコンテンツファイル名が格納され、また図９（ａ），（ｂ）に示すように、記憶部Ｂには、動作制御用無線ＩＣタグが持つＩＤコードとそのＩＤコードに対応する操作（指示する動作、図の例では、「開始」（映像を再生し始める），「一時停止」（再生中の映像を一時停止（静止）状態にする），「早送り」（再生スピードを映像の規定値よりも速い速度で再生する），「終了」（映像の再生を終了する））が格納される。コンテンツは、例えば、非特許文献１に示したような個々に関連付けしてある動画、静止画、マイクロソフト パワー ポイント（登録商標）のスライドショー、ホームページなどである。
【００２１】
また、図１０（ａ）および（ｂ）は、ワークエリア部２０６のワークエリアＡに格納される項目説明（１００１）、およびデータ例（１００２）を示す図であり、図１１（ａ）および（ｂ）は、ワークエリア部２０６のワークエリアＢに格納される項目説明（１１０１）、およびデータ例（１１０２）を示す図であり、図１２（ａ）および（ｂ）は、ワークエリア部２０６のワークエリアＣに格納される項目説明（１２０１）、およびデータ例（１２０２）を示す図である。
【００２２】
図１０（ａ），（ｂ）に示すように、ワークエリア部２０６のワークエリア部Ａには、表示中のコンテンツのコンテンツファイル名が格納され、図１１（ａ），（ｂ）に示すように、ワークエリア部２０６のワークエリア部Ｂには、実行する操作（図の例では「開始））が格納され、図１２（ａ），（ｂ）に示すように、ワークエリア部２０６のワークエリア部Ｃには、動作状態（図の例では「表示中」）が格納される。
【００２３】
、
次に、本発明に係るコンテンツ表示システムの具体的な処理の流れを、図３〜図７の処理フローと、図８〜図１２に示されているデータ例を参照して詳細に説明する。
【００２４】
まず、図３においてワークエリア部Ａ，Ｂ，Ｃをリセットする。すなわち、ワークエリア部Ａ１００１に長さゼロの文字列を格納し（ステップＳ３０１）、ワークエリア部Ｂ１１０１に長さゼロの文字列を格納し（ステップＳ３０２）、ワークエリア部Ｃ１２０１に長さゼロの文字列を格納する（ステップＳ３０３）。
【００２５】
次に、コンテンツ用読取装置部２０４の読取動作を開始し（ステップＳ３０４）、動作制御用読取装置部２０５の読取動作を開始する（ステップＳ３０５）。さらに非同期処理Ａ（図６参照）を開始し（ステップＳ３０６）、非同期処理Ｂ（図７参照）を開始した後（ステップＳ３０７）、プログラムの終了指示があるまで（ステップＳ３０８：Ｙ）、非同期処理ＡおよびＢと並行して図４〜図５で示す処理を繰り返す。
【００２６】
プログラムの終了指示がない場合（ステップＳ３０８：Ｎ）、図４に移り、ワークエリア部Ａ１００１に長さゼロの文字列が格納されているか否かを確認する（ステップＳ４０１）。
【００２７】
ワークエリア部Ａ１００１に長さゼロの文字列が格納されている場合（ステップＳ４０１：Ｎ）、図５に移り、ワークエリア部Ｂ１１０１に長さゼロの文字列が格納されているか否かを確認する（ステップＳ５０１）。
【００２８】
ワークエリア部Ｂ１１０１に長さゼロの文字列が格納されていない場合（ステップＳ５０１：Ｙ）、次にワークエリア部Ｃ１２０１に長さゼロの文字列が格納されているか確認する（ステップＳ５０２）。
【００２９】
ワークエリア部Ｃ１２０１長さゼロの文字列が格納されていない場合（ステップＳ５０２：Ｙ）、ワークエリア部Ｂ１１０１に格納された操作を表示部２０２で表示中のコンテンツに対して実行し（ステップＳ５０３）、ワークエリア部Ｂ１１０１に長さゼロの文字列を格納し（ステップＳ５０４）、図３のステップＳ３０８に戻る。
【００３０】
また、（ステップＳ５０１：Ｎ）あるいは（ステップＳ５０２：Ｎ）の場合は、図３のステップＳ３０８に戻る。
【００３１】
図４において、ワークエリア部Ａ１００１に長さゼロの文字列が格納されていない場合（ステップＳ４０１：Ｙ）、ワークエリア部Ｃ１２０１に「表示中」を格納し（ステップＳ４０２）、ワークエリア部Ａ１００１に格納されたコンテンツを表示部２０２に表示する（ステップＳ４０３）。表示中のコンテンツが終了した場合、ワークエリア部Ａ１００１に長さゼロの文字列を格納し（ステップＳ４０４）、ワークエリア部Ｃ１２０１に長さゼロの文字列を格納し（ステップＳ４０５）、図３のステップＳ３０８に戻る。
【００３２】
図３のステップＳ３０６（非同期処理Ａ）では、図６に示すように、プログラムの処理終了指示がない間は（ステップＳ６０１：Ｎ）、コンテンツ用読取装置部２０４にコンテンツ用無線ＩＣタグがかざされ、コンテンツ用読取装置部２０４でコンテンツ用無線ＩＣタグが読み取られたか否かを確認する（ステップＳ６０２）。
【００３３】
コンテンツ用読取装置部２０４でコンテンツ用無線ＩＣタグが読み取られた場合（ステップＳ６０２：Ｙ）、該読み取られたコンテンツ用無線ＩＣタグのＩＤが記憶部Ａの「ＩＤ」８０２に存在するか否かを確認し（ステップＳ６０３）、存在した場合（ステップＳ６０３：Ｙ）、記憶部Ａの「コンテンツ」８０２の内容をワークエリア部Ａ１００１に格納し（ステップＳ６０４）、ステップＳ６０１に戻る。
【００３４】
なお、（ステップＳ６０２：Ｎ）または（ステップＳ６０３：Ｎ）の場合もステップＳ６０１に戻る。プログラムの処理終了指示がある場合は（ステップＳ６０１：Ｙ）、処理を終了する。
【００３５】
図３のステップＳ３０７（非同期処理Ｂ）では、図７に示すように、プログラムの処理終了指示がない間は（ステップＳ７０１：Ｎ）、動作制御用読取装置部２０５に動作制御用無線ＩＣタグがかざされ、動作制御用読取装置部２０５で動作制御用無線ＩＣタグが読み取られたか否かを確認する（ステップＳ７０２）。
【００３６】
動作制御用読取装置部２０５で動作制御用無線ＩＣタグが読み取られた場合（ステップＳ７０２：Ｙ）、該読み取られた動作制御用無線ＩＣタグのＩＤが記憶部Ｂの「ＩＤ」９０２に存在するか否かを確認し（ステップＳ７０３）、存在した場合（ステップＳ７０３：Ｙ）、記憶部Ｂの「コンテンツ」９０２の内容をワークエリア部Ｂ１１０１に格納する（ステップＳ７０４）。
【００３７】
なお、（ステップＳ７０２：Ｎ）または（ステップＳ７０３：Ｎ）の場合もステップＳ７０１に戻る。プログラムの処理終了指示がある場合は（ステップＳ７０１：Ｙ）、処理を終了する。
【００３８】
上述したように、図４，５の処理を、図６の非同期処理Ａおよび図７の非同期処理Ｂと並行して行うことにより、コンテンツ用読取装置部２０４でコンテンツ用無線ＩＣタグが読み取られたら、該読み取られたコンテンツ用無線ＩＣタグのＩＤに対応するコンテンツを表示するとともに、動作制御用読取装置部２０５で動作制御用無線ＩＣタグが読み取られたら、該読み取られた動作制御用無線ＩＣタグのＩＤに対応する動作制御（開始，一時停止，早送り，終了）を行わせることが可能になり、これにより、表示中のコンテンツの動作を制御するための動作制御ボタンを表示装置自体に設ける必要がなくなるとともに、機械的な可動部がなくなることで、表示装置自体の故障発生を削減することができ、さらに、コンテンツ自体にも動作を制御するための動作制御ボタンを配置する必要がなくなり、デザインの自由度が増すとともに、利用者に対してインタラクティブなコンテンツを提供することができるようになる。
【００３９】
なお、本発明におけるコンテンツは、個々に関連付けられている動画、静止画、スライドショー、ホームページなどいずれでもよく、また、本発明における動作制御は、上述した開始，一時停止，早送り，終了の全てを有していなくともよく、またより詳細な動作制御（例えば、早送りの速度を複数段階にするなど）を行わせるものであってもよい。
【００４０】
図２の制御部２０１，記憶部２０３、ワークエリア２０６を用いて、図３〜図７の処理フローを実現するプログラムは、ＣＤ−ＲＯＭ，ＤＶＤ，ＦＤなどのコンピュータ読み取り可能な記録媒体に格納して、あるいはインターネットなどネットワークを介して市場に流通させることができる。
【図面の簡単な説明】
【００４１】
【図１】コンテンツ用無線ＩＣタグおよび動作制御用無線ＩＣタグを用いたコンテンツ表示システムの全体を示す構成図である。
【図２】コンテンツ用無線ＩＣタグおよび動作制御用無線ＩＣタグを用いたコンテンツ表示システムの内部ブロック図である。
【図３】実施例の処理フロー（主処理）を示した図である（その１）。
【図４】実施例の処理フロー（主処理）を示した図である（その２）。
【図５】実施例の処理フロー（主処理）を示した図である（その３）。
【図６】実施例の処理フロー（非同期処理Ａ）を示した図である。
【図７】実施例の処理フロー（非同期処理Ｂ）を示した図である。
【図８】記憶部Ａの項目説明とデータ例を示した図である。
【図９】記憶部Ｂの項目説明とデータ例を示した図である。
【図１０】ワークエリア部Ａの項目説明とデータ例を示した図である。
【図１１】ワークエリア部Ｂの項目説明とデータ例を示した図である。
【図１２】ワークエリア部Ｃの項目説明とデータ例を示した図である。
【符号の説明】
【００４２】
１０１：処理装置
１０２：表示装置
１０３：記憶装置
１０４：コンテンツ用読取装置
１０５：動作制御用読取装置
１０６：コンテンツ用無線ＩＣタグ付きオブジェクト
１０７：動作指示用無線ＩＣタグ付きオブジェクト
２０１：制御装置
２０２：表示部
２０３：記憶部
２０４：コンテンツ用読取装置
２０５：動作制御用読取装置
２０６：ワークエリア部
【図１】
2009163651.tif 000003
【図２】
2009163651.tif 000004
【図３】
2009163651.tif 000005
【図４】
2009163651.tif 000006
【図５】
2009163651.tif 000007
【図６】
2009163651.tif 000008
【図７】
2009163651.tif 000009
【図８】
2009163651.tif 000010
【図９】
2009163651.tif 000011
【図１０】
2009163651.tif 000012
【図１１】
2009163651.tif 000013
【図１２】
2009163651.tif 000014